(57)【要約】【課題】パーソナルコンピュータがフリーズしてもファクシミリ送信することができ、パーソナルコンピュータの電源がオフであってもファクシミリ受信することができる画像読取装置を提供する。【解決手段】スキャナ装置２０の主制御部１は、パーソナルコンピュータ２０から、相手装置の宛先情報を含む送信指示情報付き画像データを受信して画像メモリ８に記憶し、相手装置に対して発信して画像データをファクシミリ送信し、送信完了時に送信完了インジケータ４ａで表示する。主制御部１は、相手装置からの画像データをファクシミリ受信して画像メモリ８に記憶して、受信完了時に受信完了インジケータ４ｂで表示し、パーソナルコンピュータ３０にファクシミリ受信通知メッセージを送信し、ファクシミリ受信通知メッセージに対する応答信号を受信したとき記憶した画像データを所定の形式の画像データに変換した後、パーソナルコンピュータ３０に送信する。【選択図】図３
2008079071.tif 000002
【特許請求の範囲】
【請求項１】
パーソナルコンピュータに接続された画像読取装置において、
画像データを記憶する記憶手段と、
上記パーソナルコンピュータから、相手装置の宛先情報を含む送信指示情報付き画像データを受信して上記記憶手段に記憶し、上記相手装置に対して発信して画像データをファクシミリ送信するファクシミリ送信手段と、
相手装置からの画像データをファクシミリ受信して上記記憶手段に記憶し、上記パーソナルコンピュータにファクシミリ受信通知メッセージを送信し、上記ファクシミリ受信通知メッセージに対する応答信号を受信したとき上記記憶した画像データを所定の形式の画像データに変換した後、上記パーソナルコンピュータに送信するファクシミリ受信手段とを備えたことを特徴とする画像読取装置。
【請求項２】
上記ファクシミリ送信手段は、画像データをファクシミリ送信したときに、送信完了でないときに、当該送信ジョブを管理してリダイヤルして上記画像データを再送することを特徴とする請求項１記載の画像読取装置。
【請求項３】
上記画像データの送信が完了したとき、その旨を示す第１の指示手段をさらに備えたことを特徴とする請求項１又は２記載の画像読取装置。
【請求項４】
上記画像データの受信が完了したとき、その旨を示す第２の指示手段をさらに備えたことを特徴とする請求項１乃至３のうちのいずれか１つに記載の画像読取装置。
【発明の詳細な説明】
【技術分野】
【０００１】
本発明は、例えば、パーソナルコンピュータに接続されるイメージスキャナ装置などの画像読取装置に関する。
【背景技術】
【０００２】
現在のオフィスにおいては、ＰＣプリンタやコピー機等の印字装置が複数存在することが多い。また一方で、近年では紙文章のデータ化が進み、低価格のスキャナを個人ユースで使用することが多い。従来より、ファクシミリ装置という通信手段が存在するが、パーソナルコンピュータ環境が整備されるに連れて電子メールなどを用いた通信手段が主流となってきている。ここで、ファクシミリ装置はスキャナ機能とプリンタ機能が必須であり、これらは上記環境と重複することになり、省スペースやコストの面から好ましいことではない。しかしながら、依然としてファクシミリ装置は有力な通信手段の一つであり、オフィス又は個人として必須であるともいえる。
【０００３】
例えば、特許文献１において、汎用機能の柔軟性を高めたファクシミリ装置が提案されこのファクシミリ装置では、パーソナルコンピュータ内の画像生成モジュール（プリンタドライバ）が印刷画像の生成を行い、画像圧縮モジュールが画像圧縮（ＭＲ、ＭＭＲ、ＪＰＥＧなど）を行う。パーソナルコンピュータ内のモニタモジュールが画像圧縮する際にファクシミリ装置本体側へ機器側状態を調べに行き、この調べた情報を基に送信動作に必要な情報を取得し、送信データに調べた情報を付加した後に、ファクシミリ送信用データ入力モジュールがファクシミリ装置本体へデータを転送する。このように、パーソナルコンピュータ側ソフトでラスタライズして画像生成、画像圧縮、及び本体ファクシミリの付加機能のデータを作成してファクシミリ装置本体ＳＡＦメモリ（画像メモリ）に送ることにより、メモリ転送と同様に送信する機能を構成する。
【０００４】
以上のように構成された装置では、パーソナルコンピュータ側ソフトウェアによる処理は画像生成、圧縮のみであり、通信中の処理はないためパーソナルコンピュータ側の付加が軽減する。また、パーソナルコンピュータ側でプロトコルのやりとりよりも通信の信頼性が向上する。すなわち、当該ファクシミリ装置において、パーソナルコンピュータ側のソフトウェアによる処理は、画像生成と圧縮処理のみであり、通信中の処理はなく、パーソナルコンピュータ側の処理を軽減することができる。
【０００５】
【特許文献１】特開２００２−２５１２７０号公報。
【発明の開示】
【発明が解決しようとする課題】
【０００６】
しかしながら、パーソナルコンピュータに接続されるイメージスキャナ装置は、画像読取機能のみを有している。イメージスキャナ装置により読み取られた画像データをファクシミリ送信するときは、読み取られた画像データをパーソナルコンピュータのハードディスクメモリに取り込んだ後、当該画像データをファクシミリソフトウエアを用いて所定のファクシミリ形式に変換して、パーソナルコンピュータに挿入されたファクシミリモデムカード内のファクシミリモデムを用いて相手方のファクシミリ装置にファクシミリ送信していた。この場合、パーソナルコンピュータがフリーズした場合や電源オフのときは当然、ファクシミリ送信を行うことができなかった。また、相手方のファクシミリ装置からの画像データを受信するときは、パーソナルコンピュータの電源を常時オンする必要があるという問題点があった。
【０００７】
本発明の目的は以上の問題点を解決し、パーソナルコンピュータがフリーズしてもファクシミリ送信することができ、パーソナルコンピュータの電源がオフであってもファクシミリ受信することができる画像読取装置を提供することにある。
【課題を解決するための手段】
【０００８】
本発明に係る画像読取装置は、
パーソナルコンピュータに接続された画像読取装置において、
画像データを記憶する記憶手段と、
上記パーソナルコンピュータから、相手装置の宛先情報を含む送信指示情報付き画像データを受信して上記記憶手段に記憶し、上記相手装置に対して発信して画像データをファクシミリ送信するファクシミリ送信手段と、
相手装置からの画像データをファクシミリ受信して上記記憶手段に記憶し、上記パーソナルコンピュータにファクシミリ受信通知メッセージを送信し、上記ファクシミリ受信通知メッセージに対する応答信号を受信したとき上記記憶した画像データを所定の形式の画像データに変換した後、上記パーソナルコンピュータに送信するファクシミリ受信手段とを備えたことを特徴とする。
【０００９】
上記画像読取装置において、上記ファクシミリ送信手段は、画像データをファクシミリ送信したときに、送信完了でないときに、当該送信ジョブを管理してリダイヤルして上記画像データを再送することを特徴とする。
【００１０】
また、上記画像読取装置において、上記画像データの送信が完了したとき、その旨を示す第１の指示手段をさらに備えたことを特徴とする。
【００１１】
さらに、上記画像読取装置において、上記画像データの受信が完了したとき、その旨を示す第２の指示手段をさらに備えたことを特徴とする。
【発明の効果】
【００１２】
本発明に係る画像読取装置によれば、上記パーソナルコンピュータから、相手装置の宛先情報を含む送信指示情報付き画像データを受信して上記記憶手段に記憶し、上記相手装置に対して発信して画像データをファクシミリ送信する一方、相手装置からの画像データをファクシミリ受信して上記記憶手段に記憶し、上記パーソナルコンピュータにファクシミリ受信通知メッセージを送信し、上記ファクシミリ受信通知メッセージに対する応答信号を受信したとき上記記憶した画像データを所定の形式の画像データに変換した後、上記パーソナルコンピュータに送信する。従って、パーソナルコンピュータがフリーズしてもファクシミリ送信することができ、パーソナルコンピュータの電源を常時オンにする必要がなく、その電源がオフであってもファクシミリ受信することができる。
【００１３】
また、画像データをファクシミリ送信したときに、送信完了でないときに、当該送信ジョブを管理してリダイヤルして上記画像データを再送する。従って、上記画像読取装置は、当該ファクシミリのジョブ管理を行うので、パーソナルコンピュータがフリーズしても、もしくはその電源はオフであっても、送信未完了の画像データを上記パーソナルコンピュータを起動することなく送信できる。
【００１４】
さらに、上記画像データの送信が完了したとき、その旨を示す第１の指示手段をさらに備える。従って、ユーザは、当該画像読取装置において、ファクシミリ送信の完了を知ることができる。またさらに、上記画像データの受信が完了したとき、その旨を示す第２の指示手段をさらに備える。従って、ユーザは、当該画像読取装置において、ファクシミリ受信の完了を知ることができる。
【発明を実施するための最良の形態】
【００１５】
以下、本発明に係る実施形態について図面を参照して説明する。なお、同様の構成要素については同一の符号を付している。
【００１６】
図１は本発明に係る実施形態である、パーソナルコンピュータ３０とそれに接続されたファクシミリ機能付きスキャナ装置２０とを備えたシステムの構成を示すブロック図である。本実施形態に係るスキャナ装置２０は、例えば図３に示すように、ファクシミリ機能カード５０をバス１５に挿入接続することにより、ファクシミリ機能を追加して有することができることを特徴としている。スキャナ装置２０は例えばＵＳＢインターフェースケーブル７０を介してパーソナルコンピュータ３０に接続される一方、公衆電話回線Ｌを介して公衆電話網８０に接続されて所望の相手方のファクシミリ装置と画像データを送受信する。
【００１７】
スキャナ装置２０の主制御部１は、特に、パーソナルコンピュータ２０から、相手装置の宛先情報を含む送信指示情報付き画像データを受信して画像メモリ８に記憶し、相手装置に対して発信して画像データをファクシミリ送信し、送信完了時に送信完了インジケータ４ａで表示する。また、相手装置からの画像データをファクシミリ受信して画像メモリ８に記憶して、受信完了時に受信完了インジケータ４ｂで表示し、パーソナルコンピュータ３０にファクシミリ受信通知メッセージを送信し、ファクシミリ受信通知メッセージに対する応答信号を受信したとき記憶した画像データを所定の形式の画像データに変換した後、パーソナルコンピュータ３０に送信する。
【００１８】
図２は、図１のパーソナルコンピュータ３０の構成を示すブロック図である。
【００１９】
図２において、パーソナルコンピュータ３０は、画像データや文字データの生成や記録、格納などの処理を実行するとともに、以下のファクシミリ送受信用のプリントドライバを備え、具体的には、図４及び図７の処理プログラムを備えたことを特徴としている。すなわち、ファクシミリ送信時において、パーソナルコンピュータ３０では、起動したアプリケーションにおいて送信すべき原稿ファイルを開き、プリント指示をしてプリントドライバを起動した後、所定の送信指示情報を選択し又は入力する。そして、送信すべき原稿ファイルを所定の形式の送信用画像データに変換した後、スキャナ装置２０にアップロードする。一方、ファクシミリ受信時において、スキャナ装置２０からファクシミリ受信通知メッセージを受信し、これに応答して肯定応答信号（ＡＣＫ）を返信し、スキャナ装置２０からダウンロードされる画像データを受信し、所定の対応するアプリケーションソフトウェアで開いて表示し、その後必要に応じて印刷指示を行う。
【００２０】
パーソナルコンピュータ３０の主制御部１０１は具体的にはＣＰＵで構成されており、バス１１３を介して以下のハードウェア各部と接続されていてそれらを制御するほか、後述する種々のソフトウェアの機能を実行する。このパーソナルコンピュータ３０にはＵＳＢインターフェース１１２を介してスキャナ装置２０に接続される。また、パーソナルコンピュータ３０にはプリンタ（図示せず。）がオプションで設けられる。表示部１０４は、液晶表示装置（ＬＣＤ）又はＣＲＴディスプレイ等の表示装置であり、当該パーソナルコンピュータ３０の動作状態を表示したり、送信すべき原稿の画像データ、及び受信した画像データの表示を行う。操作部１０５は、例えばキーボードであり、文字データや指示コマンドを入力するためのものである。
【００２１】
ＲＯＭ１０６は、当該パーソナルコンピュータ３０の動作に必要であって主制御部１０１によって実行される種々のソフトウェアのプログラムを予め格納する。また、ＲＡＭ１０７は、ＳＲＡＭ、ＤＲＡＭ、ＳＤＲＡＭ等で構成され、主制御部１０１のワーキングエリアとして使用されてプログラムの実行時に発生する一時的なデータを記憶する。さらに、ハードディスクドライブ１０８は、記録媒体を内蔵する記憶装置であり、実行するアプリケーションプログラムや画像データを格納する。本実施形態では、ハードディスクドライブ１０８は、上述のように、ＣＤ−ＲＯＭ１０９ａからＣＤ−ＲＯＭドライブ１０９を介してロードした、図４のファクシミリ送信処理を含むプリンタドライバのプログラム及び図７のファクシミリ受信処理のプログラムを格納している。
【００２２】
図３は、図１のファクシミリ機能付きスキャナ装置２０の構成を示すブロック図である。
【００２３】
図３において、ファクシミリ機能付きスキャナ装置２０は、従来のイメージスキャナ機能に加えて、ファクシミリ機能カード５０を当該装置２０のバス１５のコネクタに挿入した場合に、Ｇ３方式等のファクシミリ通信機能を有する。ここで、ファクシミリ機能カード５０は、パーソナルコンピュータ３０からの送信指示情報に基づいて画像データをファクシミリ送信する一方、ファクシミリ受信した画像データについてパーソナルコンピュータ３０に対するその受信通知及び転送を行うとともに、ファクシミリ送受信のジョブ管理も行うことを特徴としている。
【００２４】
スキャナ装置２０の主制御部１は具体的にはＣＰＵで構成されており、バス１３を介して以下のハードウェア各部と接続されていてそれらを制御するほか、後述する種々のソフトウェアの機能を実行する。イメージスキャナ２は、ＣＣＤ等を利用した画像読み取り部で原稿を読み取り、白黒２値に変換したドット画像データを出力する。音声合成回路３は主制御部１からのファクシミリ送信完了又は受信完了に関するテキストデータを音声合成してスピーカ３ａを介して出力する。
【００２５】
表示部４は、液晶表示装置（ＬＣＤ）又はＣＲＴディスプレイ等の表示装置と、ファクシミリ送信完了を示す送信完了インジケータ４ａと、ファクシミリ受信完了を示す受信完了インジケータ４ｂとを含み。操作部５は、当該ファクシミリ機能付きスキャナ装置２０を操作するために必要な文字キー、ダイヤル用テンキー５ａ及び各種のファンクションキー等を備える。なお、上述の表示部４をタッチパネル方式とすることにより、この操作部５の各種キーの内の一部又は全部を代用するように構成してもよい。また、当該スキャナ装置２０は単体でファクシミリ送信機能をもってもよい。さらに、ダイヤル用テンキー５ａを設けなくてもよく、その場合は、上述のように当該スキャナ装置２０単体でファクシミリ送信機能を設けてもよい。
【００２６】
ＲＯＭ６は、当該ファクシミリ機能付きスキャナ装置２０の動作に必要であって主制御部１によって実行される種々のソフトウェアのプログラムを予め格納する。ＲＡＭ７は、ＳＲＡＭ、ＤＲＡＭ、ＳＤＲＡＭ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はハードディスクやＳＤＲＡＭ又はＭＲＡＭ等で構成され、送信すべき画像データ又は受信した画像データ、もしくは走査されて変換された画像データを記憶する。
【００２７】
ファクシミリ機能カード５０は、ジョブ管理テーブルメモリ１０ｍを含むコントローラ１０と、ＮＣＵ１１と、ファックスモデム１２と、インターフェース１３とを備えて構成される。ファックスモデム１２はＮＣＵ１１を介して公衆電話回線Ｌに接続され、通常のファクシミリ通信用のファックスモデムの機能を有するモデムである。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１２を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のディジタル回線（例えば、ＩＳＤＮ回線）に接続するようにしてもよい。さらに、インターフェース１３はバス１５に接続され、主制御部１、画像メモリ８又はＵＳＢインターフェース９からバス１５を介して信号やデータを受信して所定のインターフェース処理を実行した後、コントローラ１０に出力する一方、コントローラ１０からの信号やデータを受信して所定のインターフェース処理を実行した後、バス１５を介して主制御部１、画像メモリ８又はＵＳＢインターフェース９に出力する。コントローラ１０はファクシミリ機能カード５０の動作を制御するものであり、少なくとも、図５のファクシミリ送信処理及び図６のファクシミリ受信処理のプログラムを実行するとともに、ジョブ管理テーブルメモリ１０ｍを用いて画像データのファクシミリ送信処理及び受信処理について管理する。コントローラ１０は、ファクシミリ受信した画像データについては、例えば受信日時＋シリアル番号（さらに、発信元情報を含んでもよい。）にてなるファイル番号で管理し、また、ファクシミリ送信処理において、パーソナルコンピュータ３０からの指示時に送信できなかったときは当該ジョブ管理テーブルメモリ１０ｍを用いて管理してリダイヤルなどの処理を実行する。
【００２８】
以上のように構成されたファクシミリ機能付きスキャナ装置２０のファクシミリ通信機能において、パーソナルコンピュータ３０から転送された画像データはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアにより画像データに復号化された後、画像メモリ８に格納された後、パーソナルコンピュータ３０に送信される。これらの手順について、図４乃至図７を参照して以下に説明する。
【００２９】
図４は図２のパーソナルコンピュータ３０の主制御部１０１によって実行される、ファクシミリ送信処理を示すフローチャートである。
【００３０】
図４において、まず、ステップＳ１において、パーソナルコンピュータ３０上で起動されたアプリケーションにおいて送信すべき原稿ファイルを開き、ステップＳ２においてプリント指示をしてプリントドライバを起動する。次いで、ステップＳ３において、プリントドライバ上で送信モード及び相手装置電話番号（送信指示情報）を選択し又は入力し、ステップＳ４において送信指示をしたか否かが判断される。ＹＥＳのときはステップＳ６に進む一方、ＮＯのときは当該ファクシミリ送信処理を終了する。ステップＳ５では、原稿ファイルを例えばＴＩＦＦ又はＭＭＲなどの所定の形式の送信用画像データに変換し、ステップＳ６では、送信指示情報付き送信用画像データをスキャナ装置２０にアップロードし、ステップＳ７では、アップロードが終了したか否かが判断され、ＮＯのときはステップＳ６に戻る一方、ＹＥＳのときは当該ファクシミリ送信処理を終了する。なお、スキャナ装置２０にファクシミリ符号復号チップを搭載する場合は、スキャナ装置２０側でワードファイルをＭＭＲ又はＴＩＦＦ符号化してもよい。
【００３１】
図５は図３のスキャナ装置２０のコントローラ１０によって実行される、ファクシミリ送信処理を示すフローチャートである。
【００３２】
図５において、まず、ステップＳ１１において、パーソナルコンピュータ３０からの送信指示情報付き送信用画像データを受信して画像メモリ８に記憶し、ステップＳ１２において送信指示情報に基づいて相手装置に発呼してダイヤルし、ステップＳ１３においてファクシミリ送信処理を実行することにより画像データを送信する。次いで、ステップＳ１４において送信完了か否かが判断され、ＹＥＳのときはステップＳ１５に進む一方、ＮＯのときはステップＳ１６に進む。ステップＳ１５では、送信完了をインジケータ４ａで表示し、当該ファクシミリ送信処理を終了する。一方、ステップＳ１６では、送信完了でない送信ジョブをジョブ管理テーブルメモリ１０ｍ内のジョブ管理テーブルを用いて管理してリダイヤル処理を実行することにより画像データを再送し、当該ファクシミリ送信処理を終了する。
【００３３】
図６は図３のスキャナ装置２０のコントローラ１０によって実行される、ファクシミリ受信処理を示すフローチャートである。
【００３４】
図６において、まず、着信したか否かが判断され、ＹＥＳのときはステップＳ２２に進む一方、ＮＯのときはステップＳ２１に戻る。次いで、ステップＳ２２において、ファクシミリ着信処理を実行し、ステップＳ２３において画像データ受信処理を実行することにより画像データを画像メモリ８に格納し、ステップＳ２４において受信完了か否かが判断され、ＹＥＳのときはステップＳ２５に進む一方、ＮＯのときはステップＳ２３に戻る。ステップＳ２５では、受信完了インジケータ４ｂにより受信完了を通知し、ステップＳ２６においてファクシミリ受信通知メッセージをパーソナルコンピュータ３０に送信し、ステップＳ２７において肯定応答信号（ＡＣＫ）を受信したか否かが判断され、ＹＥＳのときはステップＳ２７に進む一方、ＮＯのときはステップＳ２８に進み、例えば数時間などの所定の期間だけ待機した後、ステップＳ２６に戻る。ステップＳ２９では、画像メモリ８内の受信した画像データを例えばＴＩＦＦ又はＰＤＦなどの所定の形式の画像データに変換した後、パーソナルコンピュータ３０にダウンロードし、ステップＳ３０において画像メモリ８内の画像データを削除し、受信インジケータ４ｂを消灯し、ステップＳ２１に戻る。なお、ステップＳ２９の画像データの変換処理はパーソナルコンピュータ３０側で行うようにしてもよい。また、パーソナルコンピュータ３０の電源がオフされているときに、電源オンしたときにスキャナ装置２０に対して自動的に指示して受信データを送信するように指示してもよい。さらに、スキャナ装置２０がファクシミリ受信したときに、パーソナルコンピュータ３０の電源を立ち上がるコマンド（Ｗａｋｅ  Ｏｎ  ＬＡＮ機能を搭載して）をスキャナ装置２０がパーソナルコンピュータ３０に送出してもよい。
【００３５】
図７は図２のパーソナルコンピュータ３０の主制御部１０１によって実行される、ファクシミリ受信処理を示すフローチャートである。
【００３６】
図７において、まず、ステップＳ３１において、スキャナ装置２０からファクシミリ受信通知メッセージを受信したか否かが判断され、ＹＥＳのときはステップＳ３２に進む一方、ＮＯのときはステップＳ３１に戻る。次いで、ステップＳ３２において、肯定応答信号（ＡＣＫ）をスキャナ装置２０に返信し、ステップＳ３３においてスキャナ装置２０からダウンロードされた画像データを受信し、所定の対応するアプリケーションソフトウェアで開いて表示する。そして、ステップＳ３４において印刷指示したか否かが判断され、ＹＥＳのときはステップＳ３５に進む一方、ＮＯのときはステップＳ３１に戻る。ステップＳ３５において、受信した画像データをプリントドライバを用いて印字し、ステップＳ３１に戻る。
【００３７】
以上説明したように、本実施形態によれば、スキャナ装置２０の主制御部１は、パーソナルコンピュータ２０から、相手装置の宛先情報を含む送信指示情報付き画像データを受信して画像メモリ８に記憶し、相手装置に対して発信して画像データをファクシミリ送信し、送信完了時に送信完了インジケータ４ａで表示する。また、相手装置からの画像データをファクシミリ受信して画像メモリ８に記憶して、受信完了時に受信完了インジケータ４ｂで表示し、パーソナルコンピュータ３０にファクシミリ受信通知メッセージを送信し、ファクシミリ受信通知メッセージに対する応答信号を受信したとき記憶した画像データを所定の形式の画像データに変換した後、パーソナルコンピュータ３０に送信する。従って、以下の作用効果を有する。
（Ａ）パーソナルコンピュータ３０がフリーズしてもファクシミリ送信することができ、パーソナルコンピュータ３０の電源を常時オンにする必要がなく、その電源がオフであってもファクシミリ受信することができる。
（Ｂ）スキャナ装置２０は、当該ファクシミリのジョブ管理を行うので、パーソナルコンピュータ３０がフリーズしても、もしくはその電源はオフであっても、送信未完了の画像データをパーソナルコンピュータ３０を起動することなく送信できる。
（Ｃ）ユーザは、送信完了インジケータ４ａの表示により、ファクシミリ送信の完了を知ることができる。また、ユーザは、受信完了インジケータ４ｂの表示により、ファクシミリ受信の完了を知ることができる。
【００３８】
変形例．
以上の実施形態においては、ファクシミリ機能カード５０をオプションの形式でスキャナ装置２０に備えるように構成しているが、本発明はこれに限らず、ファクシミリ機能カード５０の機能回路をスキャナ装置２０内に内蔵するように構成してもよい。
【００３９】
以上の実施形態においては、公衆電話回線Ｌを用いてファクシミリの送受信を実行しているが、本発明はこれに限らず、インターネットを介してパケットデータの形式で、もしくは電子メールに添付する形式でファクシミリの送受信を実行してもよい。
【産業上の利用可能性】
【００４０】
以上詳述したように、本発明のスキャナ装置によれば、相手装置の宛先情報を含む送信指示情報付き画像データを受信して上記記憶手段に記憶し、上記相手装置に対して発信して画像データをファクシミリ送信する一方、相手装置からの画像データをファクシミリ受信して上記記憶手段に記憶し、上記パーソナルコンピュータにファクシミリ受信通知メッセージを送信し、上記ファクシミリ受信通知メッセージに対する応答信号を受信したとき上記記憶した画像データを所定の形式の画像データに変換した後、上記パーソナルコンピュータに送信する。従って、パーソナルコンピュータがフリーズしてもファクシミリ送信することができ、パーソナルコンピュータの電源を常時オンにする必要がなく、その電源がオフであってもファクシミリ受信することができる。
【００４１】
また、画像データをファクシミリ送信したときに、送信完了でないときに、当該送信ジョブを管理してリダイヤルして上記画像データを再送する。従って、上記画像読取装置は、当該ファクシミリのジョブ管理を行うので、パーソナルコンピュータがフリーズしても、もしくはその電源はオフであっても、送信未完了の画像データを上記パーソナルコンピュータを起動することなく送信できる。さらに、上記画像データの送信が完了したとき、その旨を示す第１の指示手段をさらに備える。従って、ユーザは、当該画像読取装置において、ファクシミリ送信の完了を知ることができる。またさらに、上記画像データの受信が完了したとき、その旨を示す第２の指示手段をさらに備える。従って、ユーザは、当該画像読取装置において、ファクシミリ受信の完了を知ることができる。
【図面の簡単な説明】
【００４２】
【図１】本発明に係る実施形態である、パーソナルコンピュータ３０とそれに接続されたファクシミリ機能付きスキャナ装置２０とを備えたシステムの構成を示すブロック図である。
【図２】図１のパーソナルコンピュータ３０の構成を示すブロック図である。
【図３】図１のファクシミリ機能付きスキャナ装置２０の構成を示すブロック図である。
【図４】図２のパーソナルコンピュータ３０の主制御部１０１によって実行される、ファクシミリ送信処理を示すフローチャートである。
【図５】図３のスキャナ装置２０のコントローラ１０によって実行される、ファクシミリ送信処理を示すフローチャートである。
【図６】図３のスキャナ装置２０のコントローラ１０によって実行される、ファクシミリ受信処理を示すフローチャートである。
【図７】図２のパーソナルコンピュータ３０の主制御部１０１によって実行される、ファクシミリ受信処理を示すフローチャートである。
【符号の説明】
【００４３】
１…主制御部、
２…イメージスキャナ、
３…音声合成回路、
３ａ…スピーカ、
４…表示部、
４ａ…送信完了インジケータ、
４ｂ…受信完了インジケータ、
５…操作部、
５ａ…テンキー、
６…ＲＯＭ、
７…ＲＡＭ、
８…画像メモリ、
９…ＵＳＢインターフェース、
１０…コントローラ、
１０ｍ…ジョブ管理テーブルメモリ、
１１…ＮＣＵ、
１２…ファックスモデム、
１３…インターフェース、
１５…バス、
２０…ファクシミリ機能付きスキャナ装置、
３０…パーソナルコンピュータ、
５０…ファクシミリ機能カード、
７０…ＵＳＢインターフェースケーブル、
８０…公衆電話網、
１０１…主制御部、
１０４…表示部、
１０５…操作部、
１０６…ＲＯＭ、
１０７…ＲＡＭ、
１０８…ハードディスクドライブ、
１０９…ＣＤ−ＲＯＭドライブ、
１０９ａ…ＣＤ−ＲＯＭ、
１１２…ＵＳＢインターフェース、
１１３…バス、
Ｌ…公衆電話回線。
【図１】
2008079071.tif 000003
【図２】
2008079071.tif 000004
【図３】
2008079071.tif 000005
【図４】
2008079071.tif 000006
【図５】
2008079071.tif 000007
【図６】
2008079071.tif 000008
【図７】
2008079071.tif 000009